(57)【要約】【課題】  袋入りの調味料を残らず飛び散らさずスムーズに搾り出せて、串焼肉を竹串から外す事ができて掃除もし易い調味料袋等しぼりバサミを提供する。【解決手段】  鋏身部と把持部とを蝶ネジ等でネジ止めして交差させた鋏体において、鋏身部に手前から順に切断刃、圧搾刃を設け、隣り合う搾り刃は共に刃面に直交し、峰面に平行する同方向に緩やかに彎曲し、搾り刃の最も切断刃寄りの位置に半円状の凹部を設け、この二つの凹部が相対したとき串焼肉の竹串の太さ程の円形を成し、把持指孔部の向かい合う接触中心部に小突起状ヒットポイントを設け、ヒットポイントが接触するまで閉じた時、圧搾刃は交差直前でピッタリ対面し合うことを特徴とする調味料袋等しぼりバサミ。【選択図】図１
2014061252.tif 000002
【特許請求の範囲】
【請求項１】
二つの略対称的な鋏体が、それぞれの中央域を成す刃元の中心点において蝶ネジ等でネジ止めされ、鋏体は刃元から先端刃先までの鋏身部と刃元より手前の把持部とから構成されるのであるが、鋏身部は刃元に連続して先端刃先方向に刃元と同じ程の長さで刃元の延長上に切断刃を設け、切断刃に連続して切断刃の２倍程の長さで圧搾刃を設け、隣り合う二つの圧搾刃は、互いに圧搾刃の刃先・即ち搾り刃同士で向かい合い、刃の背側に峰を有し、搾り刃は丸みを帯びて形成され、更にこの圧搾刃の半ば先方域は、共に刃面に直交し・峰面に平行する同一方向に緩やかに彎曲して形成されており、向かい合う搾り刃それぞれの最も切断刃寄りの位置に半円状の凹部を設け、この二つの凹部がピッタリ相対したとき、串焼肉の竹串の太さに対応した円形を成し、把持部は、刃元から鋏身部と反対側に連続してまず把持部柄が延びて、把持部柄に連続して把持指孔部が形成され、隣り合う把持指孔部が接近し閉じられた時の接触中心部の位置に、両者対向的に低く突起的なヒットポイントが形成され、このヒットポイントの先端からネジ中心を通る直線は半円状の凹部を除く搾り刃の接線となるように形成され、そのことによって、鋏が最後まで閉じられた時に切断刃までは交差するが、圧搾刃部は交差直前でピッタリ対面し合うことになることを特徴とする調味料袋等しぼりバサミ。
【発明の詳細な説明】
【技術分野】
【０００１】  本発明は食品の調味料が入っている袋を切り、袋の中味を搾り出したり、竹串から串焼肉を外したりするための調味料袋等しぼりバサミに関するものである。
【背景技術】
【０００２】  従来食品の調味料袋は手又はハサミで切り、中味は手又は箸で挟んで搾り出していた。大小のストッパーで袋を挟み搾る先行技術も知られている（特許文献１参照）。
串焼肉を食する時、竹串の真ん中や根元部分に残った肉は食べにくく、箸やフォークで先端へ押し上げるか皿の上に外して食していた。
【先行技術文献】
【特許文献】
【０００３】
【特許文献１】実用新案公開平６−３６５７２号  公報
【発明の概要】
【発明が解決しようとする課題】
【０００４】  調味料の入った袋を手又はハサミで切り調味料を搾り出そうとすると、破けすぎて中味が手に付いたり飛び散ったり袋に残ったりしていた。特許文献１に示される先行技術は、ハサミの鋏身に弾力板による大型と小型のストッパーを取り付け、調味料の袋を挟み中味を搾り出すものであるが、ストッパーに調味料の袋を通すのを一回と想定しているが、搾り残る可能性があり、数回通す場合の煩わしさが考えられる。
串焼肉を食する時、食べ残った竹串の真ん中や根元部分の肉を箸やフォークで先端へ移動又は外そうとすると、竹串に付いた焼肉の脂分とたれで手などが汚れるため嫌われ、食べ方で敬遠されることがあった。
本発明は、以上の問題点を解決するためのものである。
【課題を解決するための手段】
【０００５】  二つの略対称的な鋏体が、それぞれの中央域をなす刃元の中心点において蝶ネジ等でネジ止めされる。
鋏体は刃元から先端刃先までの鋏身部と刃元より手前の把持部とから構成される。
鋏身部は刃元に連続して先端刃先方向に刃元と同じ程の長さで刃元の延長上に切断刃を設け、切断刃に連続して切断刃の２倍程の長さで圧搾刃を設ける。
隣り合う二つの圧搾刃は、互いに圧搾刃の刃先・即ち搾り刃同士で向かい合い、刃の背側に峰を有し、搾り刃は丸みを帯びて形成され、更にこの圧搾刃の半ば先方域は、共に刃面に直交し・峰面に平行する同一方向に緩やかに彎曲して形成される。
向かい合う搾り刃それぞれの最も切断刃寄りの位置に、半円状の凹部を設け、この凹部が相対し、ピッタリ対面したときは、串焼肉の竹串の太さに対応した円形を成す。
把持部は、刃元から鋏身部と反対側に連続してまず把持部柄が延びて、把持部柄に連続して把持指孔部が形成され、隣り合う把持指孔部が接近し閉じられた時の接触中心部の位置に、両者対向的に低く突起的なヒットポイントが形成され、このヒットポイントの先端からネジ中心を通る直線は半円状の凹部を除く搾り刃の接線となるように形成され、そのことによって、ハサミが最後まで閉じられた時に切断刃までは交差するが、圧搾刃は交差直前でピッタリ対面し合うことになる。
尚、二つの鋏体を連結させているネジは、調味料袋等しぼりバサミを掃除するために解体できるように、固定されない構造である。
以上を特徴とする調味料袋等しぼりバサミである。
【発明の効果】
【０００６】  従来袋入りの調味料を搾り出す時、中味が残ったり、飛び散ったり、手に付いたりしていたが、本発明により中味は自ずと中央に寄せ集められながら、残らず滑らかに全部搾り出せる。切断の必要時も搾り出す必要時も、一つのハサミで即対応できる。
串焼肉で食べ残った根元の肉を、箸やフォークで竹串の先端へ移動又は外す時、焼肉の脂分とたれで手を汚していたが、使い慣れているハサミで、しかも鋏身部の中ほどで挟むため、力を入れやすく、フォークとセットで使用すれば、新鮮で上品な新しい串焼肉の食べ方ができる。
また、全体を掃除したい時は蝶ネジ等のネジ止めが取り外せて簡単に分解できるので、気になる隅々まで清掃できて常に衛生的に保つことができる。
【図面の簡単な説明】
【０００７】
【図１】本発明の斜視図
【図２】本発明の使用状態を示す斜視図
【図３】本発明の別の使用状態を示す斜視図
【図４】本発明の更に別の使用状態を示す斜視図
【図５】本発明の側面図
【図６】本発明の平面図
【図７】本発明の一部である切断刃の断面図
【図８】本発明の一部である圧搾刃の断面図
【図９】本発明の一部である圧搾刃の凹部を示す断面図
【発明を実施するための形態】
【０００８】  以下、本発明の実施の形態を説明する。
（イ）二つの略対称的な鋏体が、それぞれの中央域をなす刃元（３）の中心点において、蝶ネジ等でネジ（１１）止めされる。
（ロ）鋏体は刃元（３）から先端刃先までの鋏身部（１）と刃元（３）より手前の把持部（２）とから構成される。
（ハ）鋏身部（１）は、刃元（３）に連続して先端刃先方向に、刃元（３）と同じ程の長さで、刃元（３）の延長上に切断刃（４）を設け、切断刃（４）に連続して、切断刃（４）の２倍ほどの長さで圧搾刃（５）を設ける。
（ニ）隣り合う二つの圧搾刃（５）は、互いに圧搾刃（５）の刃先・即ち搾り刃（７）同士で向かい合い、刃の背側に峰（６）を有し、搾り刃（７）は丸みを帯びて形成され、更にこの圧搾刃（５）の半ば先方域は、共に刃面に直交し・峰面に平行する同一方向に、緩やかに彎曲して形成される。
（ホ）向かい合う搾り刃（７）それぞれの最も切断刃（４）寄りの位置に、半円状の凹部（１２）を設け、この凹部（１２）が相対しピッタリ対面したときは、串焼肉の竹串の太さに対応した円形を成す。
（ヘ）把持部（２）は刃元（３）から鋏身部（１）と反対側に連続して、まず把持部柄（８）が延びて、把持部柄（８）に連続して把持指孔部（９）が形成され、隣り合う把持指孔部（９）が接近し閉じられた時の接触中心部の位置に、両者対向的に低く突起的なヒットポイント（１０）が形成され、このヒットポイント（１０）の先端からネジ（１１）中心を通る直線は、半円状の凹部（１２）を除く搾り刃（７）の接線となるように形成され、そのことによって、ハサミが最後まで閉じられた時に切断刃（４）までは交差するが、圧搾刃（５）は交差直前でピッタリ対面し合うことになる。
（ト）二つの鋏体を連結させているネジ（１１）は、調味料袋等しぼりバサミを掃除するために解体できるように、固定されない構造である。
本発明は以上のような構造である。
以下、本発明で調味料袋を搾るために使用する時の使用手順を説明する。
（イ）調味料袋等しぼりバサミの鋏身部（１）を開き、２枚の切断刃（４）の間に調味料袋の一方を挟み、把持指孔部（９）を握り調味料袋の一辺の一部又は全部を切る。
（ロ）調味料袋の切ってない方の端寄り部分を片手に持ち、搾り刃（７）の彎曲部分の内側を外に向けた調味料袋等しぼりバサミを他方の手に持ち、鋏身部（１）を開き、２枚の搾り刃（７）の間に調味料袋の内容物を外側にする位置で調味料袋を挟む。
（ハ）調味料袋の切ってない方の端寄り部分と調味料袋等しぼりバサミを、それぞれ左右の手で持ち、調味料袋等しぼりバサミの把持指孔部（９）を適度の圧力で握り、搾り刃（７）で調味料袋を挟みながら滑らすように移動させれば、圧搾刃（５）の彎曲によって、調味料袋の中味は調味料袋の中央に自然に寄せ集められながら、きれいに搾り出される。中味が残れば数回繰り返す。
以下、本発明で串焼肉を移動又は外すために使用する時の使用手順を説明する。
（イ）調味料袋等しぼりバサミを竹串の肉と肉の間に差し込み、竹串を搾り刃（７）の凹部（１２）で挟む。
（ロ）竹串の根元の部分と調味料袋等しぼりバサミを左右の手で持ち、滑らすか皿の上で竹串の先端を押しつけながら串焼肉を移動又は外す。
【符号の説明】
【０００９】１  鋏身部、  ２  把持部、  ３  刃元、  ４  切断刃、  ５  圧搾刃、  ６  峰、
７  搾り刃、  ８  把持部柄、  ９  把持指孔部、  １０  ヒットポイント、
１１  ネジ、  １２  凹部
【図１】
2014061252.tif 000003
【図２】
2014061252.tif 000004
【図３】
2014061252.tif 000005
【図４】
2014061252.tif 000006
【図５】
2014061252.tif 000007
【図６】
2014061252.tif 000008
【図７】
2014061252.tif 000009
【図８】
2014061252.tif 000010
【図９】
2014061252.tif 000011